(57)【要約】【課題】合流管と排水口とを接続する上流側排水管の構成を簡素化できる建物の配管構造を提供する。【解決手段】複数の排水口３Ａ〜３Ｄにそれぞれ上流側排水管７Ａ〜７Ｄの一端が接続され、それらの上流側排水管７Ａ〜７Ｄの他端は合流管８に接続され、その合流管８に一端が接続された下流側排水管９を通って排水が外部に排出される建物１の配管構造である。  そして、上流側排水管７Ａ〜７Ｄの端部と下流側排水管９の端部はそれぞれ異なる方向から合流管８の周面に向けて接続されている。【選択図】図１
2007191858.tif 000002
【特許請求の範囲】
【請求項１】
複数の排水口にそれぞれ上流側排水管の一端が接続され、それらの上流側排水管の他端は合流管に接続され、その合流管に一端が接続された下流側排水管を通って排水が外部に排出される建物の配管構造であって、
前記上流側排水管の端部と前記下流側排水管の端部はそれぞれ異なる方向から前記合流管の周面に向けて接続されていることを特徴とする建物の配管構造。
【請求項２】
前記合流管は軸方向が建物の壁と略平行となるように配管され、前記合流管の室内側周面に向けて前記上流側排水管の端部が前記軸方向と直交する向きで接続され、前記合流管の壁側周面に向けて前記下流側排水管の端部が前記軸方向と直交する向きで接続されることを特徴とする請求項１に記載の建物の配管構造。
【発明の詳細な説明】
【技術分野】
【０００１】
本発明は、浴室、トイレ、洗面室、台所などの建物内で使用する各排水設備から排出される排水を流下させるための建物の配管構造に関するものである。
【背景技術】
【０００２】
従来、図４に示すように、浴室、トイレ、洗面室、台所などの排水口３Ａ〜３Ｄに流れ込む排水は、建物１内の合流管５に集められた後に建物の外部に排出される（特許文献１など参照）。
【０００３】
すなわち、各排水口３Ａ〜３Ｄに一端が接続された上流側排水管４Ａ〜４Ｄは、建物１の床下で必要に応じて１〜３回曲折されて直線状の合流管５の周面に合流管５の軸方向と直交する方向から接続される。
【０００４】
また、この合流管５の軸方向の端部には下流側排水管６の一端が接続され、壁１ａの貫通孔を通って建物１の外部に突出された下流側排水管６の他端は縦排水管２に接続される。
【０００５】
そして、この縦排水管２を通った排水は図示しない公共枡に排出されて下水管に流れ込む。
【特許文献１】実開２００１−２２０７８８号公報
【発明の開示】
【発明が解決しようとする課題】
【０００６】
しかしながら、前記した従来の配管構造では、合流管５の軸方向に延伸するように下流側排水管６が接続されており、このように配置された合流管５の周面に軸方向に直交する同一方向から複数の上流側排水管４Ａ〜４Ｄを接続しようとすれば曲折部が多くなるうえに管長が長くなる傾向にある。
【０００７】
特に、排水設備（排水口３Ａ〜３Ｄ）が建物１内部に分散して配置されている場合は、管長が長くなったり曲折部が増えたりして材料費や組み付け工数が嵩むことになる。
【０００８】
そこで、本発明は、合流管と排水口とを接続する上流側排水管の構成を簡素化できる建物の配管構造を提供することを目的としている。
【課題を解決するための手段】
【０００９】
前記目的を達成するために、本発明は、複数の排水口にそれぞれ上流側排水管の一端が接続され、それらの上流側排水管の他端は合流管に接続され、その合流管に一端が接続された下流側排水管を通って排水が外部に排出される建物の配管構造であって、前記上流側排水管の端部と前記下流側排水管の端部はそれぞれ異なる方向から前記合流管の周面に向けて接続されている建物の配管構造であることを特徴とする。
【００１０】
ここで、前記合流管は軸方向が建物の壁と略平行となるように配管され、前記合流管の室内側周面に向けて前記上流側排水管の端部が前記軸方向と直交する向きで接続され、前記合流管の壁側周面に向けて前記下流側排水管の端部が前記軸方向と直交する向きで接続されるように構成することができる。
【発明の効果】
【００１１】
このように構成された本発明は、排水口に一端が接続された複数の上流側排水管の他端が合流管の周面に向けて接続されるとともに、下流側排水管の端部も合流管の周面に向けて接続されている。
【００１２】
このため、複数の排水口が分散して配置されていたとしても、上流側排水管の経路を複雑化させることなく合流管と接続させることができる。
【００１３】
特に、合流管の軸方向が建物の壁と略平行になるように配管し、その合流管の室内側周面に向けて上流側排水管を接続するように構成することで、排水口がいずれの位置に配置されていたとしても多くても一箇所の曲折部を設けるだけですべての上流側排水管を合流管に接続することができる。
【００１４】
このため、建物の床下配管を簡素化することができるとともに、管長及び組み付け工数を大幅に削減することができる。
【発明を実施するための最良の形態】
【００１５】
以下、本発明の最良の実施の形態について図面を参照して説明する。
【００１６】
なお、前記従来例で説明した内容と同一乃至均等な部分の説明については同一符号を付して説明する。
【００１７】
図１は、本実施の形態の建物１の床下に設けられる配管構造の概略構成を示した平面図である。
【００１８】
まず、構成から説明すると、建物１の内部には、浴室、トイレ、洗面室、台所などの複数の排水設備がレイアウトされており、それらの排水設備にはそれぞれ排水口３Ａ〜３Ｄが設けられている。
【００１９】
そして、この排水口３Ａ〜３Ｄには、それぞれ上流側排水管７Ａ〜７Ｄの一端が接続されている。この上流側排水管７Ａ〜７Ｄには、硬質塩化ビニル管、硬質塩化ビニルライニング鋼管などが使用でき、最大１箇所に設けられる曲折部にはエルボ管などの継手管を配置する。
【００２０】
また、合流管８は、建物１の壁１ａに沿って合流管８の軸方向が壁１ａと略平行になるように配管され、その周面に上流側排水管７Ａ〜７Ｄの端部が接続される。
【００２１】
これらの上流側排水管７Ａ〜７Ｄは、端部を合流管８の軸方向と直交する方向に向けて配管されるので、いずれの位置に排水口３Ａ〜３Ｄが配置されていても直管又は一箇所に曲折部を設けたＬ字状の構成で合流管８の周面に接続される。
【００２２】
さらに、この合流管８は、上流側排水管７Ａ〜７Ｄよりも管径の大きい管で、軸方向に勾配を設けることなく略水平方向に向けて設置される。
【００２３】
このように上流側排水管７Ａ〜７Ｄを流れてきた排水を一旦合流管８に集めて均圧化する構成とすれば、各排水設備の排水流量が異なっていても排水の逆流が生じることがない。
【００２４】
この合流管８は、両端が密閉された直管の周面に間隔を置いて上流側排水管７Ａ〜７Ｄの端部を接続する４つの接続口が設けられたもので、その反対側の周面にも合流管８の略中央となる位置に合わせて下流側排水管９の端部を接続する接続口が設けられている。
【００２５】
そして合流管８のこれらの接続口に上流側排水管７Ａ〜７Ｄ及び下流側排水管９の端部を接続すると、合流管８の軸方向と直交する方向であって合流管８を挟んで反対方向に上流側排水管７Ａ〜７Ｄと下流側排水管９とが延伸される。
【００２６】
この下流側排水管９には、硬質塩化ビニル管、硬質塩化ビニルライニング鋼管などが使用でき、図１に示すように壁１ａに設けた貫通孔を通して建物１の外部に突出される。なお、本実施の形態において壁１ａとして説明している構造体は、建物１の壁だけでなくその壁を立設させる基礎の立ち上り壁を含めたものである。
【００２７】
そして、建物１の外部に突出した下流側排水管９の他端は縦排水管２を接続し、この縦排水管２は図示しない公共枡に埋設排水管などを介して接続されている。
【００２８】
このような建物１の配管構造は、基礎の立ち上り壁に沿わせて配管する架空方式、床下の地面にころがして配管するころがし方式などの床下に露出する方式で配管することができる。
【００２９】
また、排水設備である衛生器具などの設置状況や建物１の据え付け状況に応じて、一部を埋設方式で配管したり、床下に露出させない方式で配管したりすることもできる。
【００３０】
次に、本実施の形態の建物１の配管構造の作用について説明する。
【００３１】
このように構成された本発明は、排水口３Ａ〜３Ｄから横方向に上流側排水管７Ａ〜７Ｄを延出し、合流管８の軸方向に直交する方向から直管によって合流管８の周面に接続できる位置に曲折部が設けられ、そのまま直管で合流管８の周面に接続されている。
【００３２】
このように多くても一箇所に曲折部を設けるだけで合流管８の周面に上流側排水管７Ａ〜７Ｄの端部を直交させることができる。また、図示していないが、排水口（図示せず）の位置が合流管８の軸方向に直交する方向の合流管８の投影範囲内にある場合は、直管のみで上流側排水管（図示せず）を合流管８の周面に接続させることができる。
【００３３】
このため、複数の排水口３Ａ〜３Ｄが分散して配置されていたとしても、上流側排水管７Ａ〜７Ｄの経路を複雑化させることなく合流管８と接続させることができる。
【００３４】
また、各排水設備の配置が合流管８の位置によって制限を受けなくなるので、レイアウトの自由度が広がることになる。
【００３５】
さらに、合流管８を壁１ａに沿って配置することで、合流管８が床下空間の中央部を占有することがなく整理された配置となるとともに、壁１ａ際の目立たない部分の床を取り除くだけで合流管８の維持管理又は更新をおこなうことができる。
【００３６】
また、下流側排水管９も、合流管８の壁１ａ側周面に接続させて直管で建物１の外部に設けた縦排水管２に接続させることができるので、取り回しのための無駄な管長及び工数がかからず経済的である。
【００３７】
さらに、排水口３Ａ〜３Ｄがいずれの位置に配置されていたとしても多くても一箇所の曲折部を設けるだけですべての上流側排水管７Ａ〜７Ｄを合流管８に接続することができるため、建物の床下配管を簡素化することができるとともに管長及び組み付け工数を大幅に削減することができる。
【実施例１】
【００３８】
以下、この実施例１では、前記実施の形態で説明した合流管８とは別の形態の合流管８０について図２を参照しながら説明する。なお、前記実施の形態で説明した内容と同一乃至均等な部分の説明については同一符号を付して説明する。
【００３９】
図２は、この合流管８０の詳細な構成を示した平面図である。
【００４０】
この合流管８０は、合流管８０の軸方向に延伸される本管部８３と、その本管部８３の両端に軸方向と直交する方向に延出される上流側接続部８１Ａ，８１Ｄと、これらの間に略平行に延出される上流側接続部８１Ｂ，８１Ｃと、上流側接続部８１Ａ〜８１Ｄを設けた周面とは反対側の本管部８０の周面に軸方向と直交する方向に延出される下流側接続部８２とが一体に成形されている。
【００４１】
この上流側接続部８１Ａ〜８１Ｄには上流側排水管７Ａ〜７Ｄの端部をそれぞれ接続し、下流側接続部８２には下流側排水管９の端部を接続する。
【００４２】
この実施例１の場合は、合流管８０の軸方向は本管部８３の軸方向に一致することになる。
【００４３】
このように合流管８０に接続する上流側排水管７Ａ〜７Ｄの本数及び管径に合わせて専用品を一体に成形するようにすれば、排水効率のよい合流管８０とすることができる。また、一部品で合流管８０を構成できれば配管時の工数を減らすことができる。
【００４４】
なお、他の構成及び作用効果については、前記実施の形態と略同様であるので説明を省略する。
【実施例２】
【００４５】
以下、この実施例２では、前記実施の形態で説明した合流管８及び前記実施例１の合流管８０とは別の形態の合流管１０について図３を参照しながら説明する。なお、前記実施の形態で説明した内容と同一乃至均等な部分の説明については同一符号を付して説明する。
【００４６】
この実施例２では、３本の上流側排水管７Ａ〜７Ｃが接続される合流管１０について説明する。
【００４７】
この合流管１０は、四方に接続口を有する分岐管１０ａと、直角に曲がって形成される曲り管１０ｂ，１０ｂ（エルボ管）とを組み合わせることによって構成される。
【００４８】
この合流管１０は、汎用の曲り管１０ｂを利用することで容易に組み立てることができ、この場合の合流管１０の軸方向は両側の曲り管１０ｂ，１０ｂの対向する端部を結ぶ方向となる。
【００４９】
そして、この合流管１０の軸方向に直交する方向に上流側排水管７Ａ〜７Ｃと下流側排水管９を接続する。
【００５０】
このように汎用の曲り管１０ｂと分岐管１０ａを組み合わせるだけで容易に合流管１０を製作することができる。
【００５１】
なお、他の構成及び作用効果については、前記実施の形態と略同様であるので説明を省略する。
【００５２】
以上、図面を参照して、本発明の最良の実施の形態を詳述してきたが、具体的な構成は、この実施の形態に限らず、本発明の要旨を逸脱しない程度の設計的変更は、本発明に含まれる。
【００５３】
例えば、前記実施の形態では、合流管８の室内側周面に上流側排水管７Ａ〜７Ｄの端部が接続されるとともに、下流側排水管９が合流管８の壁１ａ側周面に接続される構成について説明したが、これに限定されるものではなく、例えば下流側排水管９は合流管８の下方周面に接続される構成であってもよい。
【００５４】
このように構成した場合は、下流側排水管９は一旦下方に向けて延出して曲折部で壁１ａ側に方向を変えて建物１の外部の縦排水管２に向けて延出させればよい。
【００５５】
また、前記実施の形態及び前記実施例では、４本の上流側排水管７Ａ〜７Ｄ又は３本の上流側排水管７Ａ〜７Ｃを合流管（８，８０又は１０）に接続する構成について説明したが、これに限定されるものではなく、何本の上流側排水管７，・・・が合流管に接続される構成であってもよい。
【００５６】
さらに、合流管に設ける接続口の数を上流側排水管７，・・・の数より多くしておくことで、将来、容易に排水設備を増設することができる。
【図面の簡単な説明】
【００５７】
【図１】本発明の最良の実施の形態の建物の配管構造の概略構成を示した平面図である。
【図２】実施例１の合流管の詳細な構成を説明する平面図である。
【図３】実施例２の合流管の詳細な構成を説明する平面図である。
【図４】従来の建物の配管構造の概略構成を示した平面図である。
【符号の説明】
【００５８】
１            建物
１ａ          壁
３Ａ〜３Ｄ    排水口
７Ａ〜７Ｄ    上流側排水管
８            合流管
９            下流側排水管
８０          合流管
１０          合流管
【図１】
2007191858.tif 000003
【図２】
2007191858.tif 000004
【図３】
2007191858.tif 000005
【図４】
2007191858.tif 000006